(57)【要約】【課題】クルーズコントロールの実施中における車速の追従性の確保と車両の燃費向上とを両立させる車両の走行制御装置を提供する。【解決手段】前記車速保持クルーズコントロールの実施時には前記ニュートラル惰性走行を行い、前記追従クルーズコントロールの実施時には前記フリーラン惰性走行を行う。このため、車速Ｖの追従性が必要な前記車速保持クルーズコントロールの実施時には、エンジン１２が自立運転している前記ニュートラル惰性走行が選択されるので、再加速の応答性が前記フリーラン惰性走行に比べて良くなり車速Ｖの追従性が確保される。また、前方車両に合わせて車速Ｖが変化することによって車速Ｖの変化に対する運転者の違和感が前記車速保持クルーズコントロールに比べて少ない前記追従クルーズコントロールの実施時には、エンジン１２が停止している前記フリーラン惰性走行が選択されるので、車両の燃費が向上する。【選択図】図１
2014083896.tif 000002
【特許請求の範囲】
【請求項１】
エンジンと、該エンジンと駆動輪との間の動力伝達経路を切り離すクラッチ装置とを備え、前記エンジンと前記駆動輪とを連結して走行する通常走行と、走行中に前記エンジンと前記駆動輪とを切り離し前記エンジンを停止して惰性走行するフリーラン惰性走行と、走行中に前記エンジンと前記駆動輪とを切り離し前記エンジンを自立運転して惰性走行するニュートラル惰性走行と、運転者が設定した目標車速となるように車速を制御する車速保持クルーズコントロールと、前方車両に追従するように車速を制御する追従クルーズコントロールとを行う車両の走行制御装置であって、
前記車速保持クルーズコントロールの実施時には前記ニュートラル惰性走行を行い、
前記追従クルーズコントロールの実施時には前記フリーラン惰性走行を行うことを特徴とする車両の走行制御装置。
【発明の詳細な説明】
【技術分野】
【０００１】
本発明は車両の走行制御装置に係り、特に、目標車速となるように車速を制御する車速保持クルーズコントロールと前方車両に追従するように車速を制御する追従クルーズコントロールとを行う車両において、クルーズコントロールの実施時における比較的高い燃費性能と車速追従性能とを両立させる技術に関するものである。
【背景技術】
【０００２】
エンジンと駆動輪との間の動力伝達経路を連結したままそのエンジンの被駆動回転によりエンジンブレーキを効かせて走行するエンジンブレーキ走行に対して、走行距離を延ばして車両の燃費を改善するために、そのエンジンブレーキ走行よりもエンジンブレーキ力を低下させて走行する惰性走行が考えられている。特許文献１に記載の装置はその一例であり、車両の走行中にアクセルペダルの戻し操作が判定されると、エンジンと駆動輪との間の動力伝達経路に設けられたクラッチを解放させて惰性走行が開始され、車両の燃費が改善されるようになっている。また、特許文献２には、その惰性走行と車速保持クルーズコントロールとを組み合わせた技術が記載されている。なお、特許文献１および２で実行される上記惰性走行は、クラッチの解放と共に、エンジンを回転停止させた状態で行われる惰性走行か、或いはエンジンを回転させたままの状態で行われる惰性走行かの区別が特にない。
【先行技術文献】
【特許文献】
【０００３】
【特許文献１】特開２００２−２２７８８５号公報
【特許文献２】特開昭６１−２８７８２８号公報
【発明の概要】
【発明が解決しようとする課題】
【０００４】
ところで、上記のようなクルーズコントロールには、予め設定された車間距離を維持しつつ前方車両に追従するように車速を制御する追従クルーズコントロールと、運転者が設定した目標車速範囲内となるように車速を制御する車速保持クルーズコントロールとの２種類の制御モードが備えられる場合がある。また、上記車両の惰性走行としては、動力伝達経路のクラッチを解放してエンジンを駆動輪から切り離すとともに、エンジンに対する燃料供給を停止して回転停止させるフリーラン惰性走行と、動力伝達経路のクラッチを解放してエンジンを駆動輪から切り離した状態でエンジンに燃料を供給して作動させるニュートラル惰性走行とが考えられる。
【０００５】
しかしながら、例えば、燃費を重視してエンジンを停止する前記フリーラン惰性走行を用いると、前記車速保持クルーズコントロールの実施中では、例えば車速が減速した場合においてその車速を運転者が設定した目標車速に略一定にしようと再加速する際にエンジンの始動が必要となるため前記ニュートラル惰性走行に比べて車速の追従性が悪い。このため、運転者は、上記再加速の遅れにより車速が変化すると違和感を感じてしまう。また、逆に、車速の追従性を考慮してエンジンをかけたままの前記ニュートラル惰性走行を用いると再加速時の車速の追従性は得られるが、前方車両の速度変化に応答する前記追従クルーズコントロールの実施中では、運転者は多少の車速の変化にそれほど違和感を感じないにも関わらず、エンジンをかけたままとなるため燃費が悪化してしまうという問題があった。
【０００６】
本発明は以上の事情を背景として為されたもので、その目的とするところは、クルーズコントロールの実施中における車速の追従性の確保と車両の燃費向上とを両立させる車両の走行制御装置を提供することにある。
【課題を解決するための手段】
【０００７】
かかる目的を達成するために、本発明の要旨とするところは、(a) エンジンと、そのエンジンと駆動輪との間の動力伝達経路を切り離すクラッチ装置とを備え、(b) 前記エンジンと前記駆動輪とを連結して走行する通常走行と、走行中に前記エンジンと前記駆動輪とを切り離し前記エンジンを停止して惰性走行するフリーラン惰性走行と、走行中に前記エンジンと前記駆動輪とを切り離し前記エンジンを自立運転して惰性走行するニュートラル惰性走行と、運転者が設定した目標車速となるように車速を制御する車速保持クルーズコントロールと、前方車両に追従するように車速を制御する追従クルーズコントロールとを行う車両の走行制御装置であって、(c) 前記車速保持クルーズコントロールの実施時には前記ニュートラル惰性走行を行い、(d) 前記追従クルーズコントロールの実施時には前記フリーラン惰性走行を行うことにある。
【発明の効果】
【０００８】
このように構成された車両の走行制御装置によれば、前記車速保持クルーズコントロールの実施時には前記ニュートラル惰性走行が行われ、前記追従クルーズコントロールの実施時には前記フリーラン惰性走行が行われる。このため、車速の追従性が必要な前記車速保持クルーズコントロールの実施時には、前記エンジンが自立運転している前記ニュートラル惰性走行が選択されるので、再加速の応答性が前記フリーラン惰性走行に比べて良くなり車速の追従性が確保される。また、前方車両に合わせて車速が変化することによって車速の変化に対する運転者の違和感が前記車速保持クルーズコントロールに比べて少ない前記追従クルーズコントロールの実施時には、前記エンジンが停止している前記フリーラン惰性走行が選択されるので、車両の燃費が向上する。これにより、クルーズコントロールの実施時における車速の追従性の確保と車両の燃費の向上とを両立することができる。
【０００９】
ここで、好適には、本発明は、駆動力源として少なくともエンジンを備えている車両に適用され得、たとえば、エンジンの動力が自動変速機を介して駆動輪に伝達される車両に好適に適用されるが、エンジンの他に電動モータやモータジェネレータを駆動力源として備えているハイブリッド車両などにも適用され得る。エンジンは、燃料の燃焼で動力を発生する内燃機関などである。
【００１０】
また、好適には、エンジンと駆動輪との間には、それ等の間の動力伝達経路を接続および遮断するクラッチ装置が配設され、エンジンを駆動輪から切り離すことができるように構成される。このクラッチ装置としては、上記動力伝達経路に直列に設けられた油圧式摩擦係合装置たとえば油圧式クラッチが好適に用いられるが、電気的に反力を制御して動力伝達を接続遮断することもできるなど、種々の形式のクラッチを採用できる。複数のクラッチやブレーキを備えていて複数段に変速可能な自動変速機内の前進クラッチを利用することもできる。また、上記動力伝達経路を接続および遮断するクラッチ装置としては、たとえば上記動力伝達経路に介挿されたその動力伝達経路に接続された一対の回転要素を有する遊星歯車装置と、その遊星歯車装置の回転要素のうちの動力伝達経路に接続されていない他の回転要素の回転を阻止する油圧式ブレーキとから構成されたものであってもよい。自動変速機がベルト式無段変速機である場合には、それに設けられた前後進切換機構の前進用摩擦係合装置および後進用摩擦係合装置が、クラッチ装置として用いられる。また、自動変速機が平行軸式常時噛合型変速機である場合には、それに設けられた同期機構のスリーブおよびそれを駆動するアクチュエータが、クラッチ装置に相当する。
【００１１】
また、好適には、フリーラン惰性走行およびニュートラル惰性走行は、たとえば、エンジンから駆動輪までの動力伝達経路がクラッチにより接続され、自動変速機の変速段が所定の高速側変速段以上の前進段に設定され、車速Ｖが所定車速Ｖ１以上の比較的高速の定常走行状態において、クルーズコントロールの実施時に加速の必要性がなくなったという条件を開始条件に設定している。
【００１２】
また、好適には、前記フリーラン惰性走行およびニュートラル惰性走行の終了、クルーズコントロールの終了は、エンジンブレーキ走行あるいは他の走行モードへ切り換えるために前記比較的高速の定常走行状態の判定条件の少なくとも一つが外れたときおよび／またはブレーキ操作が行なわれたときに実行される。
【００１３】
また、好適には、上記フリーラン惰性走行の終了条件には、エンジン水温が所定温度以下であるため暖気が要求される場合、エンジンの吸気管に発生する負圧が必要とされる場合、油圧式摩擦係合装置などの油圧制御機器に油圧の供給が必要とされる場合、或いはエンジンに設けられたオルタネータによりバッテリの発電が必要とされる場合が、独立条件として設定されてよい。エンジンを回転させるニュートラル惰性走行やエンジンブレーキ走行などへ優先的に切り換えて、暖気、負圧発生、バッテリ充電を行うためである。
【図面の簡単な説明】
【００１４】
【図１】本発明が好適に適用される車両用駆動装置の骨子図に、電子制御装置の制御機能の要部を併せて示した概略構成図である。
【図２】図１の車両用駆動装置によって実行される惰性走行のうち、本発明に関連する２つの惰性走行を説明する図である。
【図３】図１の電子制御装置によって実行される惰性走行の開始判定に関する制御作動を説明するフローチャートである。
【図４】図１の電子制御装置によって開始判定されたフリーラン惰性走行の各部の作動を説明するタイムチャートである。
【図５】図１の電子制御装置によって開始判定されたニュートラル惰性走行の各部の作動を説明するタイムチャートである。
【発明を実施するための形態】
【００１５】
以下、本発明の実施例を、図面を参照しつつ詳細に説明する。
【実施例１】
【００１６】
図１は、本発明が好適に適用される車両用駆動装置１０に、その走行制御装置に対応する電子制御装置５０の制御機能の要部を併せて示した概略構成図である。車両用駆動装置１０は、燃料の燃焼で動力を発生するガソリンエンジンやディーゼルエンジン等の内燃機関であるエンジン１２を駆動力源として備えており、そのエンジン１２の出力は自動変速機１６から差動歯車装置１８を介して左右の駆動輪２０に伝達される。エンジン１２と自動変速機１６との間には、ダンパ装置やトルクコンバータ等の動力伝達装置が設けられ得るが、駆動力源として機能するモータジェネレータをも配設することもできる。
【００１７】
エンジン１２は、電子スロットル弁や燃料噴射装置などのエンジン１２の出力制御に必要な種々の機器等を有するエンジン制御装置３０を備えている。電子スロットル弁は吸入空気量を制御するもので、燃料噴射装置は燃料の供給量を制御するものであり、基本的には運転者の出力要求量に対応するアクセルペダル６３の操作量すなわちアクセル開度θacc に応じて制御される。燃料噴射装置は、車両走行中であってもアクセル開度θacc が０のアクセルＯＦＦ時等に燃料供給を停止（フューエルカットＦ／Ｃ）することができる。
【００１８】
自動変速機１６は、たとえば、複数の油圧式摩擦係合装置（クラッチやブレーキ）の係合解放状態によって変速比ｅが異なる複数のギヤ段が成立させられる遊星歯車式等の有段の自動変速機で、油圧制御装置３２に設けられた電磁式の油圧制御弁や切換弁等によって変速制御が行われる。クラッチ(クラッチ装置)Ｃ１は自動変速機１６の入力クラッチとして機能するものであり、同じく油圧制御装置３２によって係合解放制御される。このクラッチＣ１は、エンジン１２と駆動輪２０との間の動力伝達経路を接続したり遮断したりする断接クラッチに相当する。上記自動変速機１６として、平行軸式常時噛合型有段変速機や、前後進切換用歯車機構付のベルト式等の無段変速機を用いることもできる。平行軸式常時噛合型有段変速機の場合は、その同期噛合装置の噛み合いをアクチュエータを用いて解放させることで動力伝達経路が解放され、無段変速機の場合は、その前後進切換用歯車機構に備えられた前進用および後進用摩擦係合装置を解放させることで動力伝達経路が解放される。
【００１９】
駆動輪２０にはホイールブレーキ３４が備えられており、運転者によって足踏み操作されるブレーキペダル４０のブレーキ操作力（踏力）Ｂｒｋに応じて制動力が発生させられる。ブレーキ操作力Ｂｒｋはブレーキ要求量に相当し、本実施例ではそのブレーキ操作力Ｂｒｋに応じて機械的にブレーキブースタ４２を介してブレーキマスターシリンダ４４からブレーキ油圧が発生させられ、そのブレーキ油圧によって制動力が発生させられる。ブレーキブースタ４２は、エンジン１２の回転により発生する負圧を利用してブレーキ操作力Ｂｒｋを増幅するもので、ブレーキマスターシリンダ４４から出力されるブレーキ油圧が増幅され、大きな制動力が得られるようになる。ブレーキペダル４０はブレーキ操作部材に相当する。また、ホイールブレーキ３４は、電子制御装置５０から出力されるブレーキ制御信号に従ってその制動力を電気的に制御させられる。
【００２０】
以上のように構成された車両用駆動装置１０は、電子制御装置５０を備えている。電子制御装置５０は、ＣＰＵ、ＲＯＭ、ＲＡＭ、及び入出力インターフェースなどを有する所謂マイクロコンピュータを含んで構成されており、ＲＡＭの一時記憶機能を利用しつつＲＯＭに予め記憶されたプログラムに従って信号処理を行う。電子制御装置５０には、ブレーキ操作量センサ６４からブレーキ操作力Ｂｒｋ（ｋＰａ）を表す信号が供給されるとともに、アクセル操作量センサ６６からアクセルペダル６３の操作量であるアクセル開度θacc（％）を表す信号が供給される。また、エンジン回転速度センサ６８からエンジン１２の回転速度ＮＥ（ｒｐｍ）を表す信号が供給され、車速センサ７０から車速Ｖ(ｋｍ／ｈ)を表す信号が供給される。この他、各種の制御に必要な種々の情報が供給されるようになっている。
【００２１】
また、車両には、例えばステアリングホイール右側にクルーズコントロールの作動(オン)、非作動(オフ)を決定するメインスイッチと、クルーズコントロールの作動時の目標車速ＶＡを設定する目標車速セットスイッチと、その目標車速セットスイッチによって設定された目標車速ＶＡを増減する加減速スイッチ等とを有するクルーズコントロールスイッチ７２が取り付けられている。また、例えばステアリングパッド右側には、クルーズコントロールの実施中の前方車両との車間距離を例えば車速Ｖに対して「長」、「中」、「短」の３段階で予め設定されている設定車間距離ＤＡすなわち目標車間距離ＤＡを設定する車間距離切替スイッチ７４が取り付けられている。また、例えば車両前部には、自車走行車線上の前方車両の有無、前方車両との車間距離、前方車両との相対速度等を演算するレーダーセンサ７６が取り付けられている。なお、レーダーセンサ７６は、例えばミリメータウェーブレーダーセンサ(ミリ波レーダーセンサ)等である。
【００２２】
このため、図１に示すように、電子制御装置５０には、クルーズコントロールスイッチ７２からクルーズコントロールの作動(オン)、非作動(オフ)および目標車速ＶＡ等を表す信号が供給され、車間距離切替スイッチ７４から前方車両との目標車間距離ＤＡを表す信号が供給され、レーダーセンサ７６から前方車両の有無、前方車両との車間距離、前方車両との相対速度等を表す信号が供給される。
【００２３】
上記電子制御装置５０は、運転者の加速意思に対応するアクセル開度θacc およびブレーキ操作量などに沿ったエンジン１２の出力制御および回転停止制御や、予め記憶されている変速線図から運転者の加速意思に対応するアクセル開度θaccに基づく要求出力に基づいて或いはアクセル開度θaccおよび車速Ｖに基づいて自動変速機１６の変速段を制御する変速制御などを、実行する。自動変速機１６は、アクセル開度θaccが零である惰性走行状態では、専ら車速Ｖ等に応じて所定のギヤ段が成立させられ、クラッチＣ１は係合状態に保持される。このエンジンブレーキ走行では、エンジン１２は車速Ｖおよび変速比ｅに応じて定まる所定の回転速度で被駆動回転させられ、その回転速度に応じた大きさのエンジンブレーキ力が発生させられる。また、エンジン１２が所定の回転速度で被駆動回転させられるため、そのエンジン回転により発生する負圧を利用したブレーキブースタ４２によるブレーキ操作力Ｂｒｋの増幅作用が適切に得られて、ブレーキ操作による制動力のコントロール性能が十分に得られる。
【００２４】
電子制御装置５０は、その他に、フリーラン惰性走行部５２、ニュートラル惰性走行部５４、車速保持クルーズコントロール部５６、追従クルーズコントロール部５８、クルーズコントロール判定部６０を有する惰性走行切換制御部６２などを備えている。図２に説明するように、フリーラン惰性走行部５２は、フューエルカットＦ／Ｃを行ってエンジン１２の回転を停止させた状態でクラッチＣ１を解放させることでフリーラン惰性走行を実行する。この場合には、エンジンブレーキ力が上記エンジンブレーキ走行よりも小さくなり、クラッチＣ１が解放されることからエンジンブレーキ力は略０になるため、走行抵抗が小さくなって惰性走行による走行距離が長くなり、燃費を向上させることができる。また、ニュートラル惰性走行部５４は、フューエルカットＦ／Ｃを行わないでエンジン１２を回転維持させた状態でクラッチＣ１を解放させることでニュートラル惰性走行を実行する。この場合も、エンジンブレーキ力が上記エンジンブレーキ走行よりも小さくなり、クラッチＣ１が解放されることからエンジンブレーキ力は略０になるため、走行抵抗が小さくなって惰性走行による走行距離が長くなり、燃費を向上させることができるが、エンジン１２のアクセルＯＦＦ時の回転速度を維持するための燃料が必要である。このニュートラル惰性走行時のエンジン１２の回転速度ＮＥは、暖気後ではたとえば７００ｒｐｍ程度のアイドル回転速度であるが、暖気中や充電中などではたとえば１２００ｒｐｍ程度の回転速度である。
【００２５】
車速保持クルーズコントロール部５６は、クルーズコントロールスイッチ７２においてメインスイッチが運転者により操作されることによってクルーズコントロールが作動(オン)され且つ運転者により目標車速セットスイッチが操作されることによってその走行中の車速Ｖが目標車速ＶＡに設定されると、車速Ｖが運転者が前記目標車速セットスイッチで設定した目標車速ＶＡが保持されるようにエンジン制御装置３０によってエンジン１２の出力が制御される車速保持クルーズコントロールを実施する。目標車速ＶＡは、所定幅の目標車速範囲から構成され得る。
【００２６】
追従クルーズコントロール部５８は、クルーズコントロールスイッチ７２のメインスイッチが運転者によって操作されることによってクルーズコントロールが作動(オン)され、運転者により車間距離切替スイッチ７４が操作されることによって目標車間距離ＤＡが設定されると、目標車間距離ＤＡが維持されるように、すなわち前方車両に追従する車速となるようにエンジン制御装置３０によるエンジン１２の出力およびホイールブレーキ３４の制動力が制御される追従クルーズコントロールを実施する。
【００２７】
なお、前記追従クルーズコントロールでは、レーダーセンサ７６によって前方車両が有ると判定された場合に、予め設定された設定車速ＶＢを上限に前方車両を追従する。また、レーダーセンサ７６によって前方車両がいないと判定された場合には、前記設定車速ＶＢにて走行する。
【００２８】
クルーズコントロール判定部６０は、クルーズコントロールの実施時において、例えば運転者によって前記目標車速セットスイッチと車間距離切替スイッチ７４とのどちらかが操作されたかによって、前記車速保持クルーズコントロールと前記追従クルーズコントロールとのどちらかを実施しているかを判定する。
【００２９】
惰性走行切換制御部６２は、クルーズコントロールの実施時において、例えば加速の必要性がなくなった等の条件を含む惰性走行開始条件が成立した場合に、フリーラン惰性走行およびニュートラル惰性走行の２種類の走行モードのいずれかへ選択的に切り換える。また、その惰性走行終了条件が成立した場合にはそれまでの惰性走行を終了させる。
【００３０】
上記フリーラン惰性走行およびニュートラル惰性走行では、たとえば、エンジン１２から駆動輪２０までの動力伝達経路がクラッチＣ１により接続され、自動変速機１６の変速段が所定の高速側変速段以上の前進段に設定され、車速Ｖ（ｋｍ／ｈ）が所定以上の比較的高速の定常走行状態において、クルーズコントロール実施時に例えば加速の必要性がなくなったという条件を開始条件に設定している。なお、上記クルーズコントロールの実施時において前記加速の必要性がなくなるとは、前記車速保持クルーズコントロールであれば例えば車速Ｖが目標車速ＶＡに達した状態等であり、例えば車速センサ７０等により前記加速の必要性を判定する。また、前記追従クルーズコントロールであれば例えば前方車両の加速が終わった状態等であり、例えばレーダーセンサ７６等により前記加速の必要性を判定する。
【００３１】
惰性走行切換制御部６２は、前記クルーズコントロールの実施時において前記加速の必要性がなくなったことを判定すると、前記車速保持クルーズコントロールが実施されている場合にはニュートラル惰性走行部５４でニュートラル惰性走行を開始させ、前記追従クルーズコントロールが実施されている場合にはフリーラン惰性走行部５２でフリーラン惰性走行を開始させる。また、惰性走行切換制御部６２は、前記比較的高速の定常走行状態の判定条件の少なくとも一つが外れたときおよび／またはブレーキ操作が行なわれたときに、エンジンブレーキ走行あるいは他の走行モードへ切り換えるために前記フリーラン惰性走行および前記ニュートラル惰性走行を終了する。
【００３２】
図３は、電子制御装置５０の制御作動の要部、すなわち、惰性走行切換制御部６２によって前記フリーラン惰性走行または前記ニュートラル惰性走行の開始判定をクルーズコントロール判定部６０の判定に基づいて行い、その開始判定された惰性走行を実行させる制御作動を説明するフローチャートである。なお、図３のスタートでは、惰性走行切換制御部６２おいて、前記クルーズコントロールの実施時において前記加速の必要性がなくなったことが判定されている。
【００３３】
図３において、クルーズコントロール判定部６０を有する惰性走行切換制御部６２に対応するステップＳ１( 以下、ステップを省略する) では、クルーズコントロールが実施され、そのクルーズコントロールの実施において追従クルーズコントロールと車速保持クルーズコントロールとのどちらが実施されているのかが判定される。
【００３４】
上記Ｓ１において前記追従クルーズコントロールが実施されていると判定されると、フリーラン惰性走行部５２に対応するＳ２において、フリーラン惰性走行が開始される。また、上記Ｓ１において前記車速保持クルーズコントロールが実施されていると判定されると、ニュートラル惰性走行部５４に対応するＳ３において、ニュートラル惰性走行が開始される。
【００３５】
上記Ｓ２において開始されたフリーラン惰性走行は、図４のタイムチャートに示すように、クルーズコントロール判定部６０で追従クルーズコントロールが開始されたとすなわち実施されていると判定されたｔ1時点で開始される。このｔ1時点では、クラッチＣ１が解放されることにより駆動輪２０とエンジン１２との間の動力伝達経路が解放されるとともに、エンジン１２に対する燃料噴射がカットされる。そして、ｔ２時点ではエンジン１２の回転が停止する。なお、上記Ｓ２では、前方車両に合わせて車速Ｖが変化することによってその車速Ｖの変化に対する運転者の違和感が前記車速保持クルーズコントロールに比べて少ない前記追従クルーズコントロールの実施時に、エンジン１２が停止しているフリーラン惰性走行が開始されるので、運転者に違和感を殆ど与えずに車両の燃費が向上する。また、前記追従クルーズコントロールでは、前方車両が加速に入り自車も加速の必要性が発生する際に、前方車両の様子をレーダーセンサ７６等により事前に察知しているため再加速のタイミングを前もって推測することができるので、その情報から前もってエンジン１２を再始動させることで自車が加速する準備を行うことができ、再加速の遅れを補うことができる。これによって、運転者に違和感を与えることが好適に抑制される。
【００３６】
上記Ｓ３において開始されたニュートラル惰性走行は、図５のタイムチャートに示すように、クルーズコントロール判定部６０で車速保持クルーズコントロールが開始されたとすなわち実施されていると判定されたｔ1時点で開始される。このｔ1時点では、クラッチＣ１が解放されることにより駆動輪２０とエンジン１２との間の動力伝達経路が解放されるとともに、エンジン回転速度ＮＥがそのときのアイドル回転に向かって低下し、ｔ２時点でアイドル回転に維持される。なお、上記Ｓ３では、目標車速ＶＡに対する車速Ｖの追従性が必要な前記車速保持クルーズコントロールの実施時には、エンジン１２が自立運転している前記ニュートラル惰性走行が選択されるので、再加速の応答性が前記フリーラン惰性走行に比べて良くなりその車速Ｖの追従性が確保される。
【００３７】
上述のように、本実施例の車両用駆動装置１０に備えられた電子制御装置５０によれば、クルーズコントロール判定部６０を有する惰性走行切換制御部６２によって、前記車速保持クルーズコントロールの実施時には前記ニュートラル惰性走行を行い、前記追従クルーズコントロールの実施時には前記フリーラン惰性走行を行う。このため、車速Ｖの追従性が必要な前記車速保持クルーズコントロールの実施時には、エンジン１２が自立運転している前記ニュートラル惰性走行が選択されるので、再加速の応答性が前記フリーラン惰性走行に比べて良くなり車速Ｖの追従性が確保される。また、前方車両に合わせて車速Ｖが変化することによって車速Ｖの変化に対する運転者の違和感が前記車速保持クルーズコントロールに比べて少ない前記追従クルーズコントロールの実施時には、エンジン１２が停止している前記フリーラン惰性走行が選択されるので、車両の燃費が向上する。これにより、クルーズコントロールの実施時における車速Ｖの追従性の確保と車両の燃費の向上とを両立することができる。
【００３８】
以上、本発明の実施例を図面に基づいて詳細に説明したが、本発明はその他の態様においても適用される。
【００３９】
本実施例では、クルーズコントロール判定部６０において、車速保持クルーズコントロールが実施されていると判定されるとニュートラル惰性走行が行われ、追従クルーズコントロールが実施されていると判定されるとフリーラン惰性走行が行われたが、車速保持クルーズコントロールが判定された時に必ずしもニュートラル惰性走行が開始される必要はなく、追従クルーズコントロールが判定された時に必ずしもフリーラン惰性走行が開始される必要はない。つまり、本発明では、車速保持クルーズコントロールの実施時における惰性走行実行開始条件をよりニュートラル惰性走行が実施し易い側に変更するもの、追従クルーズコントロールの実施時における惰性走行実行開始条件をよりフリーラン惰性走行が実施し易い側に変更するものも含む。
【００４０】
また、前述の実施例における追従クルーズコントロールは、それが実施されているときでも前方に車両が存在しないときは、車速保持クルーズコントロールに切り換えられる場合と、常に追従クルーズコントロールに維持される場合とがある。すなわち、前記追従クルーズコントロールの選択時にも、前方車両との関係で前記ニュートラル惰性走行と前記フリーラン惰性走行とが切り替わる場合や、前記追従クルーズコントロールの選択時には、前方車両に関係なく常に前記フリーラン惰性走行が実施される場合がある。
【００４１】
また、本実施例において、電子制御装置５０には、車速保持クルーズコントロール部５６および追従クルーズコントロール部５８が備えられていたが、必ずしも車速保持クルーズコントロール部５６が備えられる必要はない。なお、上記のような車速保持クルーズコントロール部５６が備えられていない電子制御装置５０では、前記追従クルーズコントロール部５８において、車間距離を一定に前方車両を追従(つまり追従クルーズコントロール)する場合には前記フリーラン惰性走行が実施され、前方車両がなく設定車速ＶＢになるように走行(つまり車速保持クルーズコントロール)する場合には前記ニュートラル惰性走行が実施されるようになっている。
【００４２】
また、本実施例のニュートラル惰性走行おいて、エンジン１２は、円滑な回転を維持できる最小量の燃料が供給されることによりアイドル状態に制御されていたが、必ずしもアイドル状態にする必要はない。すなわち、前記ニュートラル惰性走行において、エンジン１２は、自立運転しているものであればどのような状態であっても良い。
【００４３】
なお、上述したのはあくまでも一実施形態であり、本発明は当業者の知識に基づいて種々の変更、改良を加えた態様で実施することができる。
【符号の説明】
【００４４】
１２：エンジン
２０：駆動輪
５０：電子制御装置(走行制御装置)
５２：フリーラン惰性走行部
５４：ニュートラル惰性走行部
５６：車速保持クルーズコントロール部
５８：追従クルーズコントロール部
６０：クルーズコントロール判定部
６２：惰性走行切換制御部
Ｃ１：クラッチ(クラッチ装置)
Ｖ：車速
ＶＡ：目標車速
【図１】
2014083896.tif 000003
【図２】
2014083896.tif 000004
【図３】
2014083896.tif 000005
【図４】
2014083896.tif 000006
【図５】
2014083896.tif 000007